(57)【要約】【課題】  遊技機に使用される遊技媒体の表面に固着した汚れを確実、かつ迅速に除去することができ、しかも保守点検作業を簡便した遊技媒体洗浄装置を提供する。【解決手段】  箱形状の筐体１１に、メダル１４が投入されるメダル投入部２０と、前記メダル投入部２０に投入されたメダル１４対し洗浄処理を行うメダル洗浄部と３０と、前記メダル洗浄部３０により洗浄されたメダル１４ａの水分を除去し、乾燥するメダル乾燥部６０と、このメダル乾燥部６０により乾燥後のメダル１４ｂを排出するメダル排出部７０とが設けられる。メダル洗浄部３０には、一端にメダル１４の投入口を有し他端に排出口を有した多角筒状の洗浄ドラム３２にその円筒内に螺旋状の隔壁３９を設けるとともに、その多角筒状の内面に隔壁の高さよりも短い毛足の研磨ブラシ４０が配設される。【選択図】    図１
2005125026.tif 000002
【特許請求の範囲】
【請求項１】
遊技機にて使用される遊戯媒体に付着した汚れを除去するための遊戯媒体洗浄装置であって、
前記遊技媒体を搬送する遊技媒体投入部と、
前記遊技媒体を回動させながら洗浄し移送する遊技媒体洗浄部と、
前記遊技媒体洗浄部により洗浄された前記遊技媒体の水分を除去する遊技媒体乾燥部と、
水分が除去された前記遊技媒体を機外に搬出する遊技媒体排出部と、
を備え、
前記遊技媒体投入部、遊技媒体洗浄部、遊技媒体乾燥部および遊技媒体排出部がそれぞれ単独に着脱自在に設けられることを特徴とする遊戯媒体洗浄装置。
【請求項２】
遊技機にて使用される遊戯媒体に付着した汚れを除去するための遊戯媒体洗浄装置であって、
一側に遊技媒体投入口を有し他側に該遊技媒体排出口を有した多角筒状の洗浄ドラムと、
前記洗浄ドラムの軸方向が略水平となる状態で該洗浄ドラムを回転自在に支持するドラム支持機構と、
前記ドラム支持機構に支持された洗浄ドラムを回転させるドラム駆動機構と、
を備え、前記洗浄ドラムには、多角筒内に螺旋状の隔壁が設けられるとともに、その多角筒の内面に前記隔壁の高さよりも短い毛足の研磨部材が配設されることを特徴とする遊技媒体洗浄装置。
【請求項３】
遊技機にて使用される遊技媒体に付着した汚れを除去するための遊技媒体洗浄装置に用いられる洗浄ドラムであって、
一側に前記遊技媒体投入口を有し他側に遊技媒体排出口を有して多角筒状に形成されたドラム本体と、
前記ドラム本体内に設けられた研磨部材と、
前記ドラム本体内に設けられた螺旋状の隔壁と、
を備え、前記隔壁は、前記研磨部材よりも毛足の長い研磨部材によって形成されることを特徴とする洗浄ドラム。
【請求項４】
請求項３記載の洗浄ドラムにおいて、
前記ドラム本体内の前記遊技媒体出口近傍には、該ドラム本体内の前記遊技媒体を係止してドラム本体内の上方に持ち上げる載置部材が設けられることを特徴とする洗浄ドラム。
【発明の詳細な説明】
【技術分野】
【０００１】  本発明は、例えば、パチスロ、スロットマシン等の遊技機で使用される遊技媒体であるメダルを洗浄する遊技媒体洗浄装置およびそれに用いる洗浄ドラムに関する。
【背景技術】
【０００２】  パチスロ、スロットマシン等に使用されているメダルを洗浄する遊技媒体洗浄装置は、メダルを投入する工程と、前記メダルが互いに重畳しないように整列する工程と、整列したメダルの一側を洗浄する工程と、一側が洗浄された前記メダルを反転する工程と、反転したメダルの他側を洗浄する工程と、洗浄されたメダルに付着する洗浄液を除去する工程と、洗浄液が除去されたメダルを乾燥する工程と、乾燥されたメダルを排出する工程とから構成される（例えば、特許文献１参照）。
【特許文献１】      特許番号  第２５３８５０１号公報（第２頁第４欄〜第３頁第５欄）
【発明の開示】
【発明が解決しようとする課題】
【０００３】  特許文献１に記載される遊技媒体洗浄装置は、各工程が一定の幅を有するベルトコンベアにメダルを保持して搬送することを特徴とするものである。この場合、前記移動工程中にメダルの洗浄、反転、洗浄液の拭き取りおよび乾燥の各作業がベルトコンベア上で行われる。特に、洗浄作業はメダルがベルトコンベアの移動中に洗浄ブラシにより該ベルトコンベア上で行なわれるので、前記メダルに付着する粉塵や油脂等の汚れついては十分な除去ができない。【０００４】  さらに、上記の遊技媒体洗浄装置は、メダルの搬入、洗浄、乾燥等の作業を行なう手段がユニット毎に着脱自在に形成されていないため、例えば、修理、点検の際、着脱に時間を要し保守点検作業を容易に行なうのが困難であった。【０００５】  本発明は、上記の不都合を解決するためになされたもので、メダルの搬入、洗浄、乾燥等の作業を行う手段をユニット毎に着脱自在に形成することにより、修理、点検等の作業が容易にでき、保守費用を低減することが可能な遊技媒体洗浄装置を提供することを目的とする。【０００６】  さらに、本発明は、洗浄液に浸漬されて回転する洗浄ドラム内に遊技媒体が投入されながら洗浄されることにより、遊技媒体表面に固着した汚れが存在しても容易に洗浄が行なえる洗浄ドラムを提供することを目的とする。
【課題を解決するための手段】
【０００７】  前記課題を解決するため、本発明は、遊技機にて使用される遊技媒体に付着した汚れを除去するための遊技媒体洗浄装置であって、
前記遊技媒体を搬送する遊技媒体投入部と、
前記遊技媒体を回動させながら洗浄し移送する遊技媒体洗浄部と、
前記遊技媒体洗浄部により洗浄された前記遊技媒体の水分を除去する遊技媒体乾燥部と、
水分が除去された前記遊技媒体を機外に搬出する遊技媒体排出部と、
を備え、
前記遊技媒体投入部、遊技媒体洗浄部、遊技媒体乾燥部および遊技媒体排出部がそれぞれ単独に着脱自在に設けられることを特徴とする。【０００８】  本発明によれば、遊技媒体洗浄装置の修理、点検等の作業が容易にでき保守費用を低減することが可能である。【０００９】  また、本発明は、遊技機にて使用される遊戯媒体に付着した汚れを除去するための遊戯媒体洗浄装置であって、
一側に遊技媒体投入口を有し他側に該遊技媒体排出口を有した多角筒状の洗浄ドラムと、
前記洗浄ドラムの軸方向が略水平となる状態で該洗浄ドラムを回転自在に支持するドラム支持機構と、
前記ドラム支持機構に支持された洗浄ドラムを回転させるドラム駆動機構と、
を備え、前記洗浄ドラムには、多角筒内に螺旋状の隔壁が設けられるとともに、その多角筒の内面に前記隔壁の高さよりも短い毛足の研磨部材が配設されることを特徴とする。【００１０】  さらに、本発明は、遊技機にて使用される遊技媒体に付着した汚れを除去するための遊技媒体洗浄装置に用いられる洗浄ドラムであって、
一側に前記遊技媒体投入口を有し他側に遊技媒体排出口を有して多角形に形成されたドラム本体と、
前記ドラム本体内に設けられた研磨部材と、
前記ドラム本体内に設けられた螺旋状の隔壁と、
を備え、前記隔壁は、前記研磨部材よりも毛足の長い研磨部材によって形成されることを特徴とする。【００１１】  本発明によれば、投入口から洗浄ドラム内に投入された遊技媒体は、該洗浄ドラム内で研磨部材および隔壁によって攪拌されて汚れが擦り落とされた後に、順次排出口から洗浄ドラム外へ排出される。【００１２】  さらにまた、前記ドラム本体内の前記遊技媒体出口近傍には、該ドラム本体内の前記遊技媒体を係止してドラム本体内の上方に持ち上げる載置部材が設けられると、汚れが擦り落とされた遊技媒体を係着して確実に持ち上げられるので、好適である。
【発明の効果】
【００１３】  本発明によれば、遊技媒体洗浄装置の修理、点検等の作業が容易にでき保守費用を低減することが可能である。
【発明を実施するための最良の形態】
【００１４】  本発明に係る遊技媒体洗浄装置について好適な実施の形態を挙げ、添付図面を参照しながら以下詳細に説明する。【００１５】  図１乃至図６により、本発明に係る遊技媒体洗浄装置１０の構成について説明する。図１に示されるように遊技媒体洗浄装置１０は、基本的には筐体１１と、洗浄すべき遊技媒体、例えば、メダル１４が投入されるメダル投入部（遊技媒体投入部）２０と、前記メダル投入部２０に投入されたメダル１４に対し洗浄処理を行なうメダル洗浄部（遊技媒体洗浄部）３０と、前記メダル洗浄部３０により洗浄されたメダル１４に付着する水分、例えば、洗浄液（図示しない）を除去し、乾燥するメダル乾燥部（遊技媒体乾燥部）６０と、このメダル乾燥部６０により乾燥済のメダル１４ａとして排出するメダル排出部（遊技媒体排出部）７０と、から構成される。【００１６】  筐体１１は、箱形状に形成されており下部にキャスター１２が取り付けられて移動自在に構成される。【００１７】  メダル投入部２０は、筐体１１に上部に装着されメダル１４の投入を容易にするために漏斗状に形成されたメダル投入ホッパー２１と、前記メダル投入ホッパー２１の下部に取り付けられた投入コンベア機構２２と、を備える。【００１８】  そして、メダル投入部２０は、筐体１１の上部に着脱可能に配設される。【００１９】  投入コンベア機構２２は、メダル投入ホッパー２１に取り付けられたフレーム２３に回転自在に軸支され略水平方向に変位するエンドレス状のコンベア２４と、前記フレーム２３に取り付けられ前記コンベア２４を駆動させる駆動源２５と、を備える。【００２０】  この場合、メダル投入部２０は、洗浄すべきメダル１４がメダル投入ホッパー２１に投入され、駆動源２５の駆動によりコンベア２４が矢印方向に変位すると、コンベア２４に載置されて後述するメダル洗浄部３０に移送する機能を有する。このため、メダル投入部２０では、メダル投入ホッパー２１に一度に多くのメダル１４が投入されても、これらのメダル１４をコンベア２４により順次、ドラムシュート３１に案内する。【００２１】  メダル洗浄部３０（図５参照）は、メダル投入部２０により搬送されたメダル１４を案内するドラムシュート３１と、洗浄すべきメダル１４が投入される洗浄ドラム３２と、前記洗浄ドラム３２を支持するドラム支持機構３３と、前記洗浄ドラム３２を回転させるドラム駆動機構３４と、メダル１４を洗浄液（図示しない）を貯溜する洗浄槽３５と、を備える。【００２２】  なお、メダル洗浄部３０において、洗浄ドラム３２は、ドラム支持機構３３およびドラム駆動機構３４に対し着脱可能に配設される。【００２３】  ドラムシュート３１は、メダル投入部２０のコンベア２４に搬送されたメダル１４を洗浄ドラム３２に導出する機能を有する。前記ドラムシュート３１は洗浄槽３５に取り付けられる。【００２４】  洗浄ドラム３１は、図２および図３に示されるように多角筒状、例えば、１０角筒状のドラム本体３６と、前記ドラム本体３６の両端に配設され該ドラム本体３６の横断面の径よりも大きな外径を有する円板状の端面部材３７および３８と、を備える。【００２５】  なお、ドラム本体３６は、洗浄槽３５内の洗浄液に浸すことを考慮して、図示しない打ち抜き穴を有した部材、メッシュ状の部材等によって形成されている。また、ドラム本体３６内には、隔壁３９と、研磨ブラシ（研磨部材）４０と、排出用係止爪４１と、を備える。【００２６】  図２に示されるように、隔壁３９はドラム本体３６の軸長方向に沿って螺旋状に設けられており、ナイロン部材等でブラシ状に形成されている。【００２７】  研磨ブラシ４０は、ドラム本体３６の内壁全面（ただし、隔壁３９が設けられた部位および後述する排出用係止爪４１が設けられた領域を除く）にわたって配設されたもので、隔壁３９の高さよりも毛足の短いナイロン部材等でブラシ状に形成されている。【００２８】  よって、ドラム本体３６内には、毛足の長さが異なる二種類のブラシが設けられる。【００２９】  なお、隔壁３９の高さ（ドラム本体３６の内壁面から軸心方向に向けての大きさ）は、研磨ブラシ４０の先端からの突出量が洗浄すべきメダルの径よりも大きくなるように形成されている。また、隔壁３９は、ドラム本体３６内に一条設けたが、例えば、二条設けても勿論よい。【００３０】  排出用係止爪４１は、ドラム本体３６一端部近傍に複数個、例えば、４個設けられたおり、図３に示されるように、ドラム本体３５の内壁面から軸心へ向けて指向する板状に形成されたメダル載置部４２と、その先端部分に設けられた折り返し部４３と、から構成され、ドラム本体３６が回転した際、該ドラム本体３６内のメダル（図示しない）がメダル載置部４２に載り得るように形成される。折り返し部４３は、メダル載置部４２に載ったメダル１４の落下を未然に回避する機能を備える。【００３１】  図３に示されるように、端面部材３７にはその外径と略同心円状の開口部４４が設けられ、メダル１４の投入口として機能する。この場合、開口部４４は、ドラムシュート３１のメダル排出側端に挿通し得るように設けられる。【００３２】  一方、押出用係止爪４１が設けられた端面部材３８には、前記端面部材３８の外径と略同心円状の開口部４５が設けられ、メダルの排出口として機能する。【００３３】  さらに、端面部材３８には、図４に示されるようにドラム本体３６の軸心を回転中心とする従動ギア４６が付設される。なお、従動ギア４６は、端面部材３８に付設しても勿論よい。【００３４】  図５に示されるように、ドラム支持機構３３は、４つのベアリングローラ４７（図では３つのみ表示）と、前記ベアリングローラ４７を回転自在に軸支する支持部材４８と、を備えている。ベアリングローラ４７は、端面部材３７および３８の外周面に当接されて洗浄ドラム３２の軸長方向が略水平となる状態で該洗浄ドラム３２を回転可能に支持する。ドラム支持機構３３は、洗浄槽３５に配設される。【００３５】  洗浄槽３５は、メダル１４の洗浄液を貯溜すべく横断面略長方形状の有底容器によって形成される。【００３６】  また、ドラム支持機構３３に支持される洗浄ドラム３２の近傍には、ドラム駆動機構３４（図１参照）が設けられている。このドラム駆動機構３４は、従動ギア４６と噛み合う駆動ギア４９と、この駆動ギア４９を駆動するモータ等の駆動源５０と、を備える。【００３７】  この駆動源５０の駆動によってドラム支持機構３３によって支持される洗浄ドラ厶３２を所定方向に回転させる。なお、ドラム駆動機構３４は、筐体１１に設けられる。【００３８】  図６に示されるように、メダル洗浄部３０から送給されたメダル１４ａの水分を除去し、乾燥するメダル乾燥部６０は、一側が洗浄ドラム３２の排出口４５に挿通し得るように形成され洗浄槽３５に取り付けられた脱水シュート６１（図５参照）と、脱水コンベア機構６２と、この脱水コンベア機構６２の出口端部に設けられ該脱水コンベア機構６２により搬送されたメダル１４ａを払拭する脱水ローラ機構６３と、を備える。【００３９】  なお、メダル乾燥部６０は、一体的に筐体１１に着脱自在に配設される。【００４０】  脱水シュート６１は、洗浄ドラム３２内のメダル１４ａを排出口４５から受け取って該メダル１４自然落下により脱水コンベア機構６２に案内する機能を有する。【００４１】  脱水コンベア機構６２は、フレーム６４と、このフレーム６４に回転自在に軸支されるエンドレス状のベルト６５と、前記ベルト６５の軸部（図示しない）に取り付けられドラム駆動機構３４により駆動される従動ギア６６と、を備える。【００４２】  このため、脱水コンベア機構６２は、脱水シュート６１より排出する洗浄されたメダル１４ａ（図６参照）を載置して上方に搬送する。【００４３】  脱水ローラ機構６３は、スポンジ等の吸水性を有する部材によって形成された脱水ローラ、例えば、二対の脱水ローラ６７ａおよび６７ｂ、６８ａおよび６８ｂを備え、これらの脱水ローラ６７ａおよび６７ｂ、６８ａおよび６８ｂの間にメダル１４ａを通過させて該メダル１４ａに付着する水分、例えば、洗浄液を払拭することにより、メダル１４ａに対する脱水処理作業が行われる。【００４４】  メダル排出部７０は、メダル乾燥部６０により脱水、乾燥されたメダル１４ｂ（図１参照）を機外に排出するもので、筐体１１に取り付けられるフレーム７１と、前記フレーム７１に設けられる搬出シュート７２と、前記フレーム７１に回転自在に軸支され、モータ７３により駆動されるエンドレス状のベルト７４と、を備える。なお、モータ７３は、フレーム７１に取り付けられる。【００４５】  前記メダル排出部７０は、モータ７３の駆動によりベルト７４が変位する。従って、メダル乾燥部６０で脱水、乾燥されたメダル１４ｂが順次、搬出シュート７２よりベルト７４に載置され、ベルト７４により搬送されて機外、搬出される。【００４６】  なお、メダル排出部７０は、一体的に筐体１１に着脱自在に配設される。【００４７】  本発明の実施の形態に係る遊技媒体洗浄装置１０は、基本的には以上のように構成されるものであり、次にその動作ならびに作用効果について説明する。【００４８】  先ず、洗浄すべきメダル１４をメダル投入ホッパー２１へ所定量投入する。このメダル１４の投入は、該メダル１４をメダル投入ホッパー２１へ投入する際、人手により行なってもよく、あるいはコンベア等で自動的に行ってもよい。【００４９】  メダル投入ホッパー２１にメダル１４が投入されると、前記メダル１４が順次、コンベア２４およびドラムシュート３１を経て洗浄ドラ厶３２に送給され、投入口４４より洗浄ドラム３２内に投入される。【００５０】  このとき、洗浄ドラム３２は、ドラム���動機構３４の駆動によって回転している。この場合、洗浄ドラム３２に投入されたメダル１４（図２参照）は、該洗浄ドラム３２が回転してもメダル自体の重量によって、洗浄ドラム３２内の下方に位置する。【００５１】  従って、洗浄ドラム３２に収納されたメダル１４は、該洗浄ドラム３２が回転すると隔壁３９に案内されて投入口４４から排出口４５に指向して排出用係止爪４１が設けられた区域まで洗浄ドラム３２内を移動する。【００５２】  この移動により、洗浄ドラム３２内のメダル１４は、その表面の汚れが擦り落とされる。メダルが研磨ブラシ４０に接触しながら排出口４５側に向かって移動するからである。しかも、洗浄ドラム３２内のメダル１４は、該洗浄ドラム３２の下方側が洗浄槽３５に浸るように保持されているので、その洗浄液に浸った状態で洗浄ドラム３２内を移動する。【００５３】  これにより、メダル１４に対しては、研磨ブラシ４０と洗浄液との相乗作用によって汚れを除去することができるので、例えば、メダル１４の表面に固着した汚れがあっても完全に除去することが可能である。【００５４】  特に、洗浄ドラム３２は、多角筒状、例えば、１０角筒状に形成されているのでメダル１４する攪拌作用を高めることができ、メダル１４の洗浄力をより一層向上させることが可能である。【００５５】  さらに、洗浄ドラム３２には、隔壁３９もブラシ状に形成されているので、該洗浄ドラム３２内のメダル１４が前記隔壁３９により案内される際にも、前記メダル１４の表面の汚れが擦り落とされることになり、より一層効果的に汚れの除去を実現することができる。【００５６】  また、投入口４４から投入されたメダル１４が排出口４５へ移動するに際し、例えば、遠心力によりメダル１４を洗浄ドラム３２内の上方側まで上昇させるように洗浄ドラム３２の回転速度を設定したり、メダル１４が係止する突起等を洗浄ドラム３１内に設けれることにより、メダル１４が洗浄ドラム３２内にて浮動状態に保持されることから、メダル１４の表裏にわたって確実に汚れを除去することができる。【００５７】  メダル１４が排出用係止爪４１の区域に到達すると、前記メダル１４は、その区域で排出用係止爪４１によって係止されて上方側に持ち上げられる。すなわち、排出用係止爪４１が形成された区域に到達したメダル１４は、その区域にて前記排出用係止爪４１のメダル載置部４２上に載置された状態で、洗浄ドラム３２の回転に伴ってその洗浄ドラム３２内の上方部まで持ち上げられ、その後、メダル載置部４２上から下方に落下する。【００５８】  このとき、洗浄ドラム３２の排出口４５は、脱水シュート６１に嵌通しているので、メダル載置部４２上から落下したメダル１４が前記脱水シュート６１内に投入される。なお、メダル載置部４２に載ったメダル１４は折り返し部４３により該メダル載置部４２から落下防止される。【００５９】  なお、メダル１４を排出口４５より排出するに際し、洗浄ドラム３２が排出用係止爪４１を用いてメダル１４を一旦上方に持ち上げるようにしているのは、洗浄槽３５内に洗浄液が貯溜されていることを考慮しているためである。【００６０】  排出口４５から排出される洗浄されたメダル１４ａ（図６参照）、すなわち、脱��シュート６１に投入されたメダル１４ａは、脱水コンベア機構６２のベルト６５に順次載置され、該ベルト６５の上方に搬送される。そして、メダル１４ａはベルト６５により脱水ローラ機構６３に移送され、該脱水ローラ機構６３の脱水ローラ６７ａおよび６７ｂ、６８ａおよび６８ｂ間を通過する。【００６１】  そして、付着する水分が脱水ローラ６７ａおよび６７ｂ、６８ａおよび６８ｂにより払拭されたメダル１４ｂは、順次、搬出シュート７３に搬出される。さらに、搬出シュート７３上に搬出されたメダル１４ｂは、該シュート７３を介してメダル排出部７０のベルト７４上に載置され、該ベルト７４により搬送されて機外、例えば、遊技媒体洗浄装置１０よりメダルを収納する収納容器（図示しない）に搬出される。
【図面の簡単な説明】
【００６２】
【図１】本発明の実施の形態に係る遊技媒体洗浄装置の概略構造を示す分解斜視図である。
【図２】図１の洗浄ドラムの要部断面を示す正面図である。
【図３】図２のＸ矢視方向の概略構成図である。
【図４】図２のＹ矢視方向の概略構成図である。
【図５】図１のメダル洗浄部の拡大図である。
【図６】図１のメダル乾燥部の拡大図である。
【符号の説明】
【００６３】１０…遊技媒体洗浄装置
１１…筐体
１４、１４ａ、１４ｂ…メダル
２０…メダル投入部
２１…メダル投入ホッパー
２２…投入コンベア機構
３０…メダル洗浄部
３２…洗浄ドラム
３３…ドラム支持機構
３４…ドラム駆動機構
６０…メダル乾燥部
６２…脱水コンベア機構
６３…脱水ローラ機構
７０…メダル排出部
【図１】
2005125026.tif 000003
【図２】
2005125026.tif 000004
【図３】
2005125026.tif 000005
【図４】
2005125026.tif 000006
【図５】
2005125026.tif 000007
【図６】
2005125026.tif 000008